(57)【要約】【課題】表示装置を展開位置から折畳み位置に変化させる際、表示パネルの背面に発生する隙間を隠すことができる折畳み可能なヒンジ装置を提供する。【解決手段】ヒンジ装置４は、フレキシブルな表示パネル３の第１部３ａを支持する第１本体１と、表示パネル３の第２部３ｂを支持する第２本体２と、第１本体１と第２本体２が展開位置から折畳み位置に変化できるように、第１本体１と第２本体２が回転可能に連結されるヒンジ部材５と、第１本体１と第２本体２が展開位置から折畳み位置に変化する際、表示パネル３の曲げ部３ｃのサイド３ｃ１の少なくとも一部を隠すように、ヒンジ部材５に対して移動するサイドガード６ａ，６ｂと、を備える。【選択図】図１
2020053001.tif 000002
【特許請求の範囲】
【請求項１】
フレキシブルな表示パネルと、
前記表示パネルの第１部を支持する第１本体と、
前記表示パネルの第２部を支持する第２本体と、
前記第１本体と前記第２本体が展開位置から折畳み位置に変化できるように、前記第１本体と前記第２本体が回転可能に連結されるヒンジ部材と、
前記第１本体と前記第２本体が前記展開位置から前記折畳み位置に変化する際、前記表示パネルの曲げ部のサイドの少なくとも一部を隠すように前記ヒンジ部材に対して移動するサイドガードと、を備える折畳み可能な表示装置。
【請求項２】
前記表示装置の開閉に連動して前記サイドガードが前記第１本体と前記第２本体に対して回転することを特徴とする請求項１に記載の折畳み可能な表示装置。
【請求項３】
前記サイドガードが前記ヒンジ部材に直線的に移動可能にかつ回転不可能に係合することを特徴とする請求項２に記載の折畳み可能な表示装置。
【請求項４】
前記第１本体と前記サイドガードには、第１リンクが連結され、
前記第２本体と前記サイドガードには、第２リンクが連結されことを特徴とする請求項１ないし３のいずれか一項に記載の折畳み可能な表示装置。
【請求項５】
前記サイドガードが前記第１本体と前記第２本体にスライド可能に連結されることを特徴とする請求項１ないし３のいずれか一項に記載の折畳み可能な表示装置。
【請求項６】
前記サイドガードが、前記サイドガードに回転可能に取り付けられた第１スライダを介して前記第１本体にスライド可能に連結され、
前記サイドガードが、前記サイドガードに回転可能に取り付けられた第２スライダを介して前記第２本体にスライド可能に連結されることを特徴とする請求項５に記載の折畳み可能な表示装置。
【請求項７】
前記第１本体と前記第２本体の前記展開位置において、前記サイドガードが前記第１本体及び／又は前記第２本体に設けたサイドカバーによって覆われることを特徴とする請求項１ないし６のいずれか一項に記載の折畳み可能な表示装置。
【請求項８】
フレキシブルな表示パネルの第１部を支持する第１本体と、
前記表示パネルの第２部を支持する第２本体と、
前記第１本体と前記第２本体とが展開位置から折畳み位置に変化できるように、前記第１本体と前記第２本体が回転可能に連結されるヒンジ部材と、
前記第１本体と前記第２本体が前記展開位置から前記折畳み位置に変化する際、前記表示パネルの曲げ部のサイドの少なくとも一部を隠すように前記ヒンジ部材に対して移動するサイドガードと、を備えるヒンジ装置。
【請求項９】
フレキシブルな表示パネルの第１部を支持するのに適応する第１片と、
前記表示パネルの第２部を支持するのに適応する第２片と、
前記第１片と前記第２片とが展開位置から折畳み位置に変化できるように、前記第１片と前記第２片が回転可能に連結されるヒンジ部材と、
前記第１片と前記第２片が前記展開位置から前記折畳み位置に変化する際、前記表示パネルの曲げ部のサイドの少なくとも一部を隠すように前記ヒンジ部材に対して移動するサイドガードと、を備えるヒンジ装置。
【発明の詳細な説明】
【技術分野】
【０００１】
本発明は、フレキシブルな表示パネルを有する折畳み可能な表示装置及びこの表示装置に用いられるヒンジ装置に関する。
【背景技術】
【０００２】
近年、有機ＥＬパネル等のフレキシブルな表示パネルの開発が盛んに行われている。フレキシブルな表示パネルを使用すれば、スマートフォン、タブレット型ＰＣ等の表示装置を折り畳むことができる。このため、フレキシブルな表示パネルを用いた折畳み可能な表示装置の開発も行われている。
【０００３】
特許文献１には、フレキシブルな表示パネルと、表示パネルの第１部を支持する第１本体と、表示パネルの第２部を支持する第２本体と、を備える表示装置が開示されている。第１本体と第２本体はヒンジ部材に回転可能に連結される。表示パネルを支持する第１本体と第２本体を相対的に回転させることで、表示パネルを折り畳むことができる。
【０００４】
表示パネルはフレキシブルであるので、表示パネルを折り畳むとき、表示パネルには曲げ部が生ずる。折り畳んだ表示パネルを重ねても、曲げ部では表示パネルを重ねることができない。このため、特許文献１の発明では、第１本体と第２本体に表示パネルの曲げ部を進入させる逃げ部を形成し、曲げ部が外側に膨らむのを許容している。
【先行技術文献】
【特許文献】
【０００５】
【特許文献１】特許３３６１８２０号
【発明の概要】
【発明が解決しようとする課題】
【０００６】
フレキシブルな表示パネルを有する表示装置にあっては、表示装置を展開位置から折畳み位置に変化させる際、表示パネルの曲げ部がヒンジ部材の近傍で第１本体及び第２本体から浮き上がる。このため、曲げ部の背面に隙間が発生し、この隙間に異物が侵入するおそれがある。
【０００７】
そこで本発明は、表示装置を展開位置から折畳み位置に変化させる際、表示パネルの背面に発生する隙間を隠すことができる折畳み可能な表示装置及びこの表示装置に用いられるヒンジ装置を提供することにある。
【課題を解決するための手段】
【０００８】
上記課題を解決するために、本発明の一態様は、フレキシブルな表示パネルと、前記表示パネルの第１部を支持する第１本体と、前記表示パネルの第２部を支持する第２本体と、前記第１本体と前記第２本体が展開位置から折畳み位置に変化できるように、前記第１本体と前記第２本体が回転可能に連結されるヒンジ部材と、前記第１本体と前記第２本体が前記展開位置から前記折畳み位置に変化する際、前記表示パネルの曲げ部のサイドの少なくとも一部を隠すように前記ヒンジ部材に対して移動するサイドガードと、を備える折畳み可能な表示装置である。
【０００９】
本発明の他の態様は、フレキシブルな表示パネルの第１部を支持する第１本体と、前記表示パネルの第２部を支持する第２本体と、前記第１本体と前記第２本体とが展開位置から折畳み位置に変化できるように、前記第１本体と前記第２本体が回転可能に連結されるヒンジ部材と、前記第１本体と前記第２本体が前記展開位置から前記折畳み位置に変化する際、前記表示パネルの曲げ部のサイドの少なくとも一部を隠すように前記ヒンジ部材に対して移動するサイドガードと、を備えるヒンジ装置である。
【００１０】
本発明の他の態様は、フレキシブルな表示パネルの第１部を支持するのに適応する第１片と、前記表示パネルの第２部を支持するのに適応する第２片と、前記第１片と前記第２片とが展開位置から折畳み位置に変化できるように、前記第１片と前記第２片が回転可能に連結されるヒンジ部材と、前記第１片と前記第２片が前記展開位置から前記折畳み位置に変化する際、前記表示パネルの曲げ部のサイドの少なくとも一部を隠すように前記ヒンジ部材に対して移動するサイドガードと、を備えるヒンジ装置である。
【発明の効果】
【００１１】
本発明によれば、サイドガードによって表示パネルの背面に発生する隙間を隠すことができる。
【図面の簡単な説明】
【００１２】
【図１】本発明の第１の実施形態のヒンジ装置の分解斜視図である。
【図２】図２（ａ）は図１のａ部拡大図であり、図２（ｂ）は図２（ａ）と見る方向を変えた拡大図である。
【図３】第１本体、第２本体及びヒンジ部材を組み立てた状態のヒンジ装置の斜視図である。
【図４】展開位置にある表示装置の詳細図である（図４（ａ）は平面図、図４（ｂ）は図４（ａ）の断面図Ａ−Ａ〜断面図Ｅ−Ｅ）。
【図５】図４（ｂ）の詳細図ａ〜ｅである。
【図６】折曲げ位置にある表示装置の詳細図である（図６（ａ）は平面図、図６（ｂ）は図６（ａ）の断面図Ｅ―Ｅ、詳細図ｅ）。
【図７】折曲げ位置にある表示装置の詳細図である（図７（ａ）〜図７（ｄ）は図６（ａ）の断面図Ａ−Ａ〜断面図Ｄ−Ｄ、詳細図ａ〜ｄ）。
【図８】折畳み位置にある表示装置の詳細図である（図８（ａ）は平面図、図８（ｂ）は図８（ａ）の断面図Ｅ―Ｅ、詳細図ｅ）。
【図９】折畳み位置にある表示装置の詳細図である（図９（ａ）〜図９（ｄ）は図８（ａ）の断面図Ａ−Ａ〜断面図Ｄ−Ｄ、詳細図ａ〜ｄ）。
【図１０】本発明の第２の実施形態のヒンジ装置の分解斜視図である。
【図１１】図１１（ａ）は図１０のａ部拡大図であり、図１１（ｂ）は図１１（ａ）と見る方向を変えた拡大図である。
【図１２】展開位置にある表示装置の詳細図である（図１２（ａ）は平面図、図１２（ｂ）は図１２（ａ）の断面図Ａ−Ａ〜断面図Ｅ−Ｅ）。
【図１３】図１２（ｂ）の詳細図ａ〜ｅである。
【図１４】折曲げ位置にある表示装置の詳細図である（図１４（ａ）は平面図、図１４（ｂ）は図１４（ａ）の断面図Ｅ―Ｅ、詳細図ｅ）。
【図１５】折曲げ位置にある表示装置の詳細図である（図１５（ａ）〜図１５（ｄ）は図１４（ａ）の断面図Ａ−Ａ〜断面図Ｄ−Ｄ、詳細図ａ〜ｄ）。
【図１６】折畳み位置にある表示装置の詳細図である（図１６（ａ）は平面図、図１６（ｂ）は図１６（ａ）の断面図Ｅ―Ｅ、詳細図ｅ）。
【図１７】折畳み位置にある表示装置の詳細図である（図１７（ａ）〜図１７（ｄ）は図１６（ａ）の断面図Ａ−Ａ〜断面図Ｄ−Ｄ、詳細図ａ〜ｄ）。
【図１８】本発明の第３の実施形態の表示装置の外観斜視図である（図１８（ａ）はは展開位置にある表示装置を示し、図１８（ｂ）は折畳み位置にある表示装置を示す）。
【図１９】本発明の第３の実施形態の表示装置の分解斜視図である。
【図２０】本発明の第３の実施形態のヒンジ装置の分解斜視図である。
【図２１】図２０のXXI部拡大図である（図２０（ａ）は分解斜視図、図２０（ｂ）は組立図）。
【図２２】図２２（ａ）は図２１（ｂ）の平面図であり、図２２（ｂ）（ｃ）は図２２（ａ）のｂ−ｂ線断面図である。
【図２３】展開位置にある本発明の第３の実施形態のヒンジ装置の詳細図である（図２３（ａ）は平面図、図２３（ｂ）は図２３（ａ）のｂ−ｂ線断面図）。
【図２４】図２３（ｂ）のXXIV部拡大図である（図２４（ａ）は展開位置、図２４（ｂ）は９０°開き位置、図２４（ｃ）は折畳み位置を示す）。
【図２５】本発明の第４の実施形態のヒンジ装置の分解斜視図である。
【図２６】ヒンジ部材、サイドガードの分解斜視図である。
【図２７】サイドガードの動作を説明する図である（図２７（ａ）は展開位置、図２７（ｂ）は９０°開き位置、図２７（ｃ）は折畳み位置を示す）。
【発明を実施するための形態】
【００１３】
以下、添付図面に基づいて、本発明の実施形態の表示装置及びヒンジ装置を詳細に説明する。ただし、本発明の表示装置及びヒンジ装置は種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
（第１の実施形態）
【００１４】
図１は、本発明の第１の実施形態のヒンジ装置４の分解斜視図を示す。１は第１本体、２は第２本体、５はヒンジ部材、６ａ，６ｂはサイドガードである。ヒンジ装置４は、第１本体１と、第２本体２と、ヒンジ部材５と、サイドガード６ａ，６ｂと、を備える。ヒンジ装置４には、表示パネル３（図４（ａ）（ｂ）参照）が取り付けられる。表示装置７は、ヒンジ装置４と、表示パネル３と、を備える。表示パネル３の第１部３ａが第１本体１に取り付けられる（図４（ａ）（ｂ）参照）。表示パネル３の第２部３ｂが第２本体２に取り付けられる（図４（ａ）（ｂ）参照）。
【００１５】
表示装置７は、図４（ａ）（ｂ）に示す展開位置（開き角１８０度）、図６（ａ）（ｂ）に示す折曲げ位置（開き角９０度）、図８（ａ）（ｂ）に示す折畳み位置（開き角０度）にその形状を変化可能である。展開位置では、表示パネル３はフラットである。折畳み位置では、第１本体１と第２本体２とは互いに重なり合う。表示パネル３は折り畳まれ、表示パネル３には曲げ部３ｃが生ずる。ユーザは、表示装置７を展開した状態で使用し、表示装置７を折り畳んだ状態で携帯する。
【００１６】
表示パネル３は、例えば有機ＥＬパネルを用いたフレキシブルな表示パネル３である。有機ＥＬパネルは、フレキシブルな基板上に表示単位となる多数の画素をマトリクス状に設けたものである。各画素は、例えば有機ＬＥＤとＴＦＴから構成される。
【００１７】
図１に示すように、第１本体１と第２本体２は、剛性の高い材料で矩形の略平板状に形成される。表示パネル３の第１部３ａと第２部３ｂは、接着、ねじ等の固定手段によって第１本体１と第２本体２に固定される。表示パネル３の中間部３ｃ（図４（ａ）（ｂ）参照）は、第１フラップ２１、第２フラップ２２及びヒンジ部材５（図４参照）に支持される。展開位置において、第１本体１の第１支持面１ａ、第２本体２の第２支持面２ａ、第１フラップ２１、第２フラップ２２及びヒンジ部材５のパネル支持部５ａは、実質的に同一平面にある。折畳み位置において、中間部３ｃは曲げ部３ｃ（図８（ｂ）参照）を構成する。中間部３ｃは、第１フラップ２１、第２フラップ２２及びヒンジ部材５に固定されていない。中間部３ｃを接着等の固定手段によって第１フラップ２１と第２フラップ２２に固定してもよい。
【００１８】
第１本体１は、仮想軸Ｃを中心にヒンジ部材５に回転可能に連結される。第１本体１は、表示パネル３の第１部３ａを支持する第１本体部１１と、第１本体部１１に取り付けられる一対の第１連結部１３ａ，１３ｂと、を備える。第１連結部１３ａ，１３ｂは、第１本体部１１のスリット１１ａ，１１ｂに挿入されて、第１本体部１１に固定される。
【００１９】
第１本体部１１の周囲の３辺には、表示パネル３が嵌められる枠１ｂが形成される。第１本体部１１のヒンジ部材５側の端部には、ヒンジ部材５に向かって下方に傾斜する傾斜面１１ｃが形成され、傾斜面１１ｃに連続してヒンジ部材５との干渉を避けるための逃げ部１１ｄが形成される。第１本体部１１には、第１フラップ２１が傾斜面１１ｃと逃げ部１１ｄの上方を揺動可能に取り付けられる。第１フラップ２１は、長方形の板状である。第１フラップ２１の幅方向の一端部２１ａは、第１本体部１１に枢軸１１ｅの回りを回転可能に取り付けられる。第１フラップ２１の幅方向の他端部２１ｂは、自由端であり、ヒンジ部材５に支持される。なお、ねじりばね、コイルばね等の付勢手段によって第１フラップ２１をヒンジ部材５に付勢することも可能である。また、第１フラップ２１の他端部２１ｂを後述するリンク等によって支持することも可能である。
【００２０】
第２本体２は、仮想軸Ｃを中心にヒンジ部材５に回転可能に連結される。ヒンジ部材５に対する第１本体１の回転中心である仮想軸Ｃと、ヒンジ部材５に対する第２本体２の回転中心である仮想軸Ｃとは、同一である。第１本体１と第２本体２とは、仮想軸Ｃを中心にして相対的に回転する。
【００２１】
第２本体２は、表示パネル３の第２部３ｂを支持する第２本体部１２と、第２本体部１２に取り付けられる一対の第２連結部１４ａ，１４ｂと、を備える。第２連結部１４ａ，１４ｂは、第２本体部１２のスリット１２ａ，１２ｂに挿入されて、第２本体部１２に固定される。
【００２２】
第２本体部１２の周囲の３辺には、表示パネル３が嵌められる枠２ｂが形成される。第２本体部１２のヒンジ部材５側の端部には、ヒンジ部材５に向かって下方に傾斜する傾斜面１２ｃが形成され、傾斜面１２ｃに連続してヒンジ部材５との干渉を避けるための逃げ部１２ｄが形成される。第２本体部１２には、板状の第２フラップ２２が傾斜面１２ｃと逃げ部１２ｄの上方を揺動可能に取り付けられる。第２フラップ２２の一端部２２ａは、第２本体部１２に枢軸１２ｅの回りを回転可能に取り付けられる。第２フラップ２２の他端部２２ｂは、自由端であり、ヒンジ部材５に支持される。
【００２３】
ヒンジ部材５は、略半円筒状である。ヒンジ部材５は、中央部８と、中央部８の仮想軸方向の両端部に回転不可能に設けられる溝形成部９ａ，９ｂと、溝形成部９ａ，９ｂの仮想軸方向の両端部に回転不可能に設けられる端部１０ａ，１０ｂと、を備える。中央部８、溝形成部９ａ，９ｂ、端部１０ａ，１０ｂのそれぞれの上面には、仮想軸方向に延びるパネル支持部５ａが形成される。パネル支持部５ａの幅方向の両側には、パネル支持部５ａよりも一段低くフラップ支持部５ｂが形成される。展開位置において、パネル支持部５ａが表示パネル３を支持し、フラップ支持部５ｂが表示パネル３を支持する第１フラップ２１と第２フラップ２２を支持する。
【００２４】
溝形成部９ａは、略半円筒状の本体１５と、パネル支持部５ａと、を備える。パネル支持部５ａは、本体１５から仮想軸方向に突出し、中央部８の凹部８ａと端部１０ａの凹部１０ａ１に回転不可能に嵌る。本体１５は、第１連結部１３ａと第２連結部１４ａとに仮想軸方向に挟まれる。
【００２５】
本体１５の一方の側面には、仮想軸Ｃと同心の第１円弧状溝１６ａが形成される。第１円弧状溝１６ａの中心角は、略１８０度である。第１円弧状溝１６ａの両端は、本体１５の上面に開放する。本体１５の他方の側面には、仮想軸Ｃと同心の第２円弧状溝１６ｂが形成される。第２円弧状溝１６ｂの中心角も略１８０度である。
【００２６】
第１円弧状溝１６ａには、第２連結部１４ａの円弧状の第１突起１４ａ１が嵌まる。第２円弧状溝１６ｂには、第１連結部１３ａの円弧状の第２突起１３ａ１が嵌まる。このため、第１本体１と第２本体２は、ヒンジ部材５に対して仮想軸Ｃを中心に回転可能である。なお、溝形成部９ａに円弧状突起を形成し、第１連結部１３ａと第２連結部１４ａに円弧状溝を形成することも可能である。
【００２７】
溝形成部９ｂにも、同様に第１円弧状溝と第２円弧状溝が形成される。第１連結部１３ｂと第２連結部１４ｂそれぞれには、円弧状の第１突起と円弧状の第２突起それぞれが形成される。
【００２８】
端部１０ａは、中央部８と同様に略半円筒状である。図２（ａ）（ｂ）の拡大図に示すように、端部１０ａと第１本体１とには、第１リンク１７が連結される。第１リンク１７の一端部は、端部１０ａに枢軸１０ａ２の回りを回転可能に連結される。第１リンク１７の他端部は、第１本体１に枢軸１７ａの回りを回転可能にかつ第１本体１の溝１１ｆ（図１参照）にスライド可能に連結される。同様に、端部１０ａと第２本体２とには、第２リンク１８が連結される。第２リンク１８の一端部は、端部１０ａに枢軸１０ａ３の回りを回転可能に連結される、第２リンク１８の他端部は、第２本体２に枢軸１８ａの回りを回転可能にかつ第２本体２の溝１２ｆ（図１参照）にスライド可能に連結される。
【００２９】
サイドガード６ａは、略四角形の板状である。第１本体１とサイドガード６ａには、第１リンク１７が連結される。第２本体２とサイドガード６ａには、第２リンク１８が連結される。サイドガード６ａの側面には、湾曲した第１溝６ａ１と湾曲した第２溝６ａ２が形成される。第１溝６ａ１には、第１リンク１７の第１突起１７ｂが第１溝６ａ１にスライド可能に嵌る。第１リンク１７の一端部は、サイドガード６ａに回転可能にかつスライド可能に連結される。第２溝６ａ２には、第２リンク１８の第２突起１８ｂが第２溝６ａ２にスライド可能に嵌る。第２リンク１８の一端部は、サイドガード６ａに回転可能にかつスライド可能に連結される。
【００３０】
サイドガード６ａは、表示装置７の開閉に連動して回転する。具体的には、表示装置７の開き角（第１本体１と第２本体２とのなす角度）の１／２だけサイドガード６ａが第２本体２に対して回転する。展開位置において、サイドガード６ａは、第１本体１と第２本体２に取り付けられるサイドカバー２３ａ，２４ａ（図１も参照）によって覆われる。
【００３１】
サイドガード６ａは、端部１０ａに直線的に移動可能にかつ回転不可能に係合する。端部１０ａには直線状の溝１０ａ４が形成され、サイドガード６ａには溝１０ａ４にスライド可能に嵌る直線状の突条６ａ３が形成される。サイドガード６ａは、ヒンジ部材５の回転を拘束する。
【００３２】
図１に示すように、溝形成部９ｂ、端部１０ｂ、サイドガード６ｂ、サイドカバー２３ｂ，２４ｂは、仮想軸Ｃに直交する中心線に関して、溝形成部９ａ、端部１０ａ、サイドガード６ａ、サイドカバー２３ａ，２４ａと左右対称である。
【００３３】
図３は、第１本体１、第２本体２及びヒンジ部材５を組み立てた状態のヒンジ装置４の斜視図を示す。ヒンジ部材５の中央部８、溝形成部９ａ，９ｂ、端部１０ａ，１０ｂは、仮想軸方向に連結され、これらは一体的に回転する。サイドガード６ａ，６ｂは、ヒンジ部材５の仮想軸方向の端面に配置され、ヒンジ部材５と一緒に回転する。
【００３４】
図４ないし図９を参照しつつ本実施形態の表示装置７の動作を説明する。図４は、展開位置にある表示装置７の詳細図を示す。図４（ａ）は表示装置７の平面図であり、図４（ｂ）は図４（ａ）断面図Ａ−Ａ〜断面図Ｅ−Ｅである。図５は図４（ｂ）の詳細図ａ〜ｅである。３は表示パネル、１は第１本体、２は第２本体、５はヒンジ部材、６ａはサイドガード、１７は第１リンク、１８は第２リンクである。
【００３５】
図５に示すように、展開位置において、ヒンジ部材５とサイドガード６ａの回転位置は、第１リンク１７と第２リンク１８によって拘束される。第１本体１の第１支持面１ａ（図１参照）、第２本体２の第２支持面２ａ（図１参照）、ヒンジ部材５のパネル支持部５ａ、第１フラップ２１、第２フラップ２２は、実質的に同一平面内にあり、これらが表示パネル３を支持する。サイドガード６ａは、サイドカバー２３ａ，２４ａ（図１参照）に隠れる。
【００３６】
図６及び図７は、折曲げ位置にある表示装置７の詳細図を示す。図６（ａ）は表示装置７の平面図、図６（ｂ）は図６（ａ）の断面図Ｅ―Ｅ、詳細図ｅを示す。図７（ａ）〜図７（ｄ）は図６（ａ）の断面図Ａ−Ａ〜断面図Ｄ−Ｄ、詳細図ａ〜ｄを示す。
【００３７】
図７（ａ）（ｃ）に示すように、表示装置７の折曲げ位置において、ヒンジ部材５とサイドガード６ａ，６ｂの回転位置は、第１リンク１７と第２リンク１８によって４５度に拘束される。図７（ｂ）（ｄ）に示すように、サイドガード６ａ，６ｂは、ヒンジ部材５に対して表示パネル３の曲げ部３ｃに向かって移動して、表示パネル３の曲げ部３ｃのサイド３ｃ１を隠す。このため、図７（ｂ）に示すように、表示パネル３の曲げ部３ｃの背面に発生する図中ドットを付した隙間Ｓ（表示パネル３と第１本体１、第２本体２及びヒンジ部材５との間に発生する隙間Ｓ）を隠すことができる。
【００３８】
図８及び図９は、折畳み位置にある表示装置７の詳細図を示す。図８（ａ）は表示装置７の平面図、図８（ｂ）は図８（ａ）の断面図Ｅ―Ｅ、詳細図ｅを示す。図９（ａ）〜図９（ｄ）は図８（ａ）の断面図Ａ−Ａ〜断面図Ｄ−Ｄ、詳細図ａ〜ｄを示す。
【００３９】
図９（ａ）（ｃ）に示すように、表示装置７の折畳み位置において、ヒンジ部材５の回転位置は、第１リンク１７と第２リンク１８によって９０度に拘束される。図９（ｂ）（ｄ）に示すように、サイドガード６ａ，６ｂは、ヒンジ部材５に対して表示パネル３の曲げ部３ｃに向かって最も移動して、表示パネル３の曲げ部３ｃのサイド３ｃ１の一部を隠す。第１フラップ２１と第２フラップ２２は、第１本体１と第２本体２の傾斜面１１ｃ，１２ｃに支持される。第１フラップ２１と第２フラップ２２との間には、表示パネル３の曲げ部３ｃを収容する空間が形成される。
【００４０】
以上に本実施形態の表示装置７及びヒンジ装置４の構成を説明した。本実施形態の表示装置７及びヒンジ装置４によれば、以下の効果を奏する。
【００４１】
表示装置７が展開位置から折畳み位置に変化する際、表示パネル３の曲げ部３ｃのサイド３ｃ１の少なくとも一部を隠すように、サイドガード６ａ，６ｂがヒンジ部材５に対して移動するので、サイドガード６ａ，６ｂによって表示パネル３の背面に発生する隙間を隠すことができる。
【００４２】
表示装置７の開閉に連動してサイドガード６ａ，６ｂが第１本体１と第２本体２に対して回転するので、表示パネル３の背面の隙間を効果的に隠すことができる。
【００４３】
サイドガード６ａ，６ｂがヒンジ部材５に直線的に移動可能にかつ回転不可能に係合するので、表示装置７の開閉に連動してヒンジ部材５も回転させることができる。
【００４４】
第１本体１とサイドガード６ａ，６ｂに第１リンク１７を連結し、第２本体２とサイドガード６ａ，６ｂに第２リンク１８を連結するので、表示装置７の開閉に連動してサイドガード６ａ，６ｂを移動かつ回転させることができる。
【００４５】
展開位置において、サイドガード６ａ，６ｂが第１本体１及び第２本体２に設けたサイドカバー２３ａ，２３ｂ，２４ａ，２４ｂによって覆われるので、表示装置７の見栄えをよくすることができる。
【００４６】
ヒンジ部材５に対する第１本体１の回転中心である第１仮想軸Ｃとヒンジ部材５に対する第２本体２の回転中心である第２仮想軸Ｃとが実質的に同一であるので、表示装置７をコンパクトにすることができる。
（第２の実施形態）
【００４７】
図１０は、本発明の第２の実施形態の表示装置３１（表示パネル３を取り外した状態、ヒンジ装置）の分解斜視図を示す。第２の実施形態も第１の実施形態と同様に、表示パネル３の第１部３ａを支持する第１本体１と、表示パネル３の第２部３ｂを支持する第２本体２と、第１本体１と第２本体２が回転可能に連結されるヒンジ部材５と、を備える。
【００４８】
第１本体１、第２本体２、第１フラップ２１、第２フラップ２２、ヒンジ部材５（中央部８、溝形成部９ａ，９ｂ、端部１０ａ，１０ｂ）の構成は、第１の実施形態のヒンジ装置４と同一であるので、同一の符号を附してその説明を省略する。
【００４９】
第１の実施形態では、リンク方式によってサイドガード６ａ，６ｂを移動させるのに対して、第２の実施形態では、カム方式によってサイドガード３２ａ，３２ｂを移動させる。すなわち、第２の実施形態では、サイドガード３２ａ，３２ｂそれぞれは、第１本体１と第２本体２にスライド可能に連結される。
【００５０】
図１１（ａ）（ｂ）の拡大図に示すように、サイドガード３２ａは、略四角形の板状である。サイドガード３２ａの側面には、略ハの字状の一対の溝３３，３４が左右対称に形成される。第１溝３３には、サイドカバー２３ａの第１突起３５がスライド可能に嵌る。第２溝３４には、サイドカバー２４ａの第２突起３６がスライド可能に嵌る。なお、サイドガード３２ａに第１突起と第２突起を設け、サイドカバー２３ａとサイドカバー２４ａそれぞれに第１溝と第２溝それぞれを設けることもできる。
【００５１】
サイドガード３２ａは、表示装置３１の開閉に連動して回転する。具体的には、表示装置３１の開き角（第１本体１と第２本体２とのなす角度）の１／２だけサイドガード３２ａが第２本体２に対して回転する。展開位置において、サイドガード３２ａは、第１本体１と第２本体２に設けたサイドカバー２３ａ，２４ｂによって覆われる。
【００５２】
サイドガード３２ａは、端部１０ａに直線的に移動可能にかつ回転不可能に係合する。端部１０ａには直線状の溝１０ａ４が形成され、サイドガード３２ａには溝１０ａ４にスライド可能に嵌る直線状の突条３７が形成される。サイドガード３２ａは、表示装置３１の開閉に連動してヒンジ部材５を回転させる。サイドガード３２ｂも同様である。
【００５３】
図１２ないし図１７を参照しつつ本実施形態の表示装置３１の動作を説明する。図１２は、展開位置にある表示装置３１の詳細図を示す。図１２（ａ）は表示装置３１の平面図であり、図１２（ｂ）は図１２（ａ）の断面図Ａ−Ａ〜断面図Ｅ−Ｅである。図１３は図１２（ｂ）の詳細図ａ〜ｅである。３は表示パネル、１は第１本体、２は第２本体、５はヒンジ部材、３２ａ，３２ｂはサイドガードである。
【００５４】
図１３に示すように、展開位置において、ヒンジ部材５とサイドガード３２ａの回転位置は、カム方式で拘束される。第１本体１、第２本体２、ヒンジ部材５のパネル支持部５ａ、第１フラップ２１及び第２フラップ２２が表示パネル３を支持する。サイドガード３２ａは、サイドカバー２３ａ，２４ａに隠れる（図１０参照）。
【００５５】
図１４及び図１５は、折曲げ位置にある表示装置３１の詳細図を示す。図１４（ａ）は表示装置３１の平面図、図１４（ｂ）は図１４（ａ）の断面図Ｅ―Ｅ、詳細図ｅを示す。図１５（ａ）〜図１５（ｄ）は図１４（ａ）の断面図Ａ−Ａ〜断面図Ｄ−Ｄ、詳細図ａ〜ｄを示す。
【００５６】
図１５（ｄ）に示すように、表示装置３１の折曲げ位置において、ヒンジ部材５とサイドガード３２ａの回転位置は、カム方式によって４５度に拘束される。図１５（ｂ）（ｄ）に示すように、サイドガード３２ａ，３２ｂは、ヒンジ部材５に対して表示パネル３の曲げ部３ｃに向かって移動して、表示パネル３の曲げ部３ｃのサイドを隠す。このため、表示パネル３の曲げ部３ｃの背面に発生する隙間を隠すことができる。
【００５７】
図１６及び図１７は、折畳み位置にある表示装置３１の詳細図を示す。図１６（ａ）は表示装置３１の平面図、図１６（ｂ）は図１６（ａ）の断面図Ｅ―Ｅ、詳細図ｅを示す。図１７（ａ）〜図１７（ｄ）は図１６（ａ）の断面図Ａ−Ａ〜断面図Ｄ−Ｄ、詳細図ａ〜ｄを示す。
【００５８】
図１７（ａ）（ｃ）に示すように、表示装置３１の折畳み位置において、ヒンジ部材５の回転位置は、カム方式によって９０度に拘束される。図１７（ｂ）（ｄ）に示すように、サイドガード３２ａ，３２ｂは、ヒンジ部材５に対して表示パネル３の曲げ部３ｃに向かって最も移動して、表示パネル３の曲げ部３ｃのサイド３ｃ１の一部を隠す。第１フラップ２１と第２フラップ２２は、第１本体１と第２本体２の傾斜面１１ｃ，１２ｃに支持される。第１フラップ２１と第２フラップ２２との間には、表示パネル３の曲げ部３ｃを収容する空間が形成される。
【００５９】
第２の実施形態の表示装置３１によれば、第１の実施形態の表示装置７と同様な効果を奏する。
（第３の実施形態）
【００６０】
図１８は、本発明の第３の実施形態の折畳み可能な表示装置４０の外観斜視図を示す。図１８（ａ）は展開位置にある表示装置４０を示し、図１８（ｂ）は折畳み位置にある表示装置４０を示す。図１９は、表示装置４０の分解斜視図を示す。
【００６１】
図１８及び図１９に示すように、第３の実施形態の表示装置４０は、表示パネル４４、第１本体４１、第２本体４２、ヒンジ部材４３、サイドガード５８ａ，５８ｂを備える。第３実施形態の表示装置４０は、第１の実施形態の表示装置７と縦横比が異なる。第３の実施形態の表示装置４０の高さに対する横幅の比（高さ／幅）は、第１の実施形態よりも大きい。表示装置７，３１，４０の縦横比は、第１の実施形態のように高さよりも幅が大きくても、第３の実施形態のように、幅よりも高さが大きくてもよい。
【００６２】
図１８（ａ）に示す展開位置から図１８（ｂ）に示す折畳み位置に変化できるように、第１本体４１と第２本体４２は、ヒンジ部材４３に連結される。第２本体４２は、第１本体４１に対して図１８（ａ）に示す展開位置から図１８（ｂ）に示す折畳み位置まで１８０°だけ回転する。展開位置では、表示パネル４４はフラットである。折畳み位置では、表示パネル４４が折り畳まれ、第１本体４１と第２本体４２が互いに重なる。
【００６３】
表示パネル４４は、例えば有機ＥＬパネルを用いたフレキシブルな表示パネルである。ユーザのタッチ式のコマンドを受けられるタッチパネルにするために、表示パネル４４に静電容量方式タッチ入力、抵抗膜方式タッチ入力等を作成してもよい。
【００６４】
図１９に示すように、第１本体４１は、第１支持体４５と、第１片４６と、を備える。第２本体４２は、第２支持体４７と、第２片４８と、を備える。第１支持体４５と第２支持体４７は、表示パネル４４の第１部４４ａと第２部４４ｂを支持するフラットな表面を有する。第１支持体４５と第２支持体４７の表面は、表示パネル４４の第１部４４ａと第２部４４ｂの裏面に接着、両面テープ等の固定手段によって固定される。第１支持体４５と第２支持体４７には、図示しないプリント回路基板、バッテリー等の電気部品が収容される。第１支持体４５と第２支持体４７それぞれに離れて搭載された電気部品同士は、図示しないフレキシブル回路基板によって互いに電気的に接続される。
【００６５】
第１支持体４５と第２支持体４７は、第１片４６と第２片４８に取り付けられる。第１片４６は、表示パネル４４の第１部４４ａを支持するのに適応し、第１支持体４５を介して表示パネル４４の第１部４４ａを支持する。第２片４８は、表示パネル４４の第２部４４ｂを支持するのに適応し、第２支持体４７を介して表示パネル４４の第２部４４ｂを支持する。第１片４６と第２片４８は、ヒンジ部材４３に回転可能に連結される。第３の実施形態のヒンジ装置５０は、第１片４６、第２片４８、ヒンジ部材４３、サイドガード５８ａ，５８ｂを備える。
【００６６】
第１片４６は、扁平な箱状に形成される本体部５１と、ヒンジ部材４３に近接して配置される連結部５２と、を備える。本体部５１は、四角形の底部５１ａと、ヒンジ部材４３側の１辺を除く底部の３辺を囲む枠部５１ｂと、を備える。底部５１ａには、連結部５２が取り付けられる。連結部５２は、ヒンジ部材４３に向かって突出する一対のアーム５５ｂ，５５ｃを有する。連結部５２には、連結部５２に重なるように第１フラップ６１が配置される。第１フラップ６１は、連結部５２に対して軸６３（図２０参照）の回りを揺動可能である。
【００６７】
第２片４８は、扁平な箱状に形成される本体部５３と、ヒンジ部材４３に近接して配置される連結部５４と、を備える。本体部５３は、四角形の底部５３ａと、底部５３ａの３辺を囲む枠部５３ｂと、を備える。底部５３ａには、連結部５４が取り付けられる。連結部５４は、ヒンジ部材４３に向かって突出する一対のアーム５６ｂ，５６ｃを有する。連結部５４には、連結部５４に重なるように第２フラップ６２が配置される。第２フラップ６２は、連結部５４に対して軸６４（図２０参照）の回りを揺動可能である。
【００６８】
図２０は、ヒンジ装置の分解斜視図を示す。第１片４６の連結部５２は、中央部５２ａと、仮想軸Ｃの方向における中央部５２ａの両端に配置される一対の端部５２ｂ，５２ｃと、を備える。一対の端部５２ｂ，５２ｃには、ヒンジ部材４３に向かって突出する一対のアーム５５ｂ，５５ｃが設けられる。アーム５５ｂ，５５ｃには、第１突起としての第１円弧状突起６５が形成される。ヒンジ部材４３には、第１円弧状突起６５が嵌まる第１円弧状溝６６が形成される。第１円弧状突起６５と第１円弧状溝６６の中心は、仮想軸Ｃと同一である。このため、第１片４６は、ヒンジ部材４３に対して仮想軸Ｃの回りを回転する。なお、アーム５５ｂ，５５ｃに第１円弧状溝を形成し、ヒンジ部材４３に第１円弧状突起を形成してもよい。
【００６９】
第２片４８の連結部５４は、第１片４６の連結部５２と同様に、中央部５４ａと、仮想軸Ｃの方向における中央部５４ａの両端に配置される一対の端部５４ｂ，５４ｃと、を備える。一対の端部５４ｂ，５４ｃには、ヒンジ部材４３に向かって突出する一対のアーム５６ｂ，５６ｃが設けられる。アーム５６ｂ，５６ｃには、第２突起としての第２円弧状突起６７が形成される。ヒンジ部材４３には、第２円弧状突起６７が嵌まる第２円弧状溝６８が形成される。第２円弧状突起６７と第２円弧状溝６８の中心は、仮想軸Ｃと同一である。このため、第２片４８は、ヒンジ部材４３に対して仮想軸Ｃの回りを回転する。なお、アーム５６ｂ，５６ｃに第２円弧状溝を形成し、ヒンジ部材４３に第２円弧状突起を形成してもよい。
【００７０】
第１片４６の連結部５２（中央部５２ａ，端部５２ｂ，端部５２ｃ）には、ヒンジ部材４３に向かって連結部５２の厚さが薄くなるように傾斜面５９が形成される。第２片４８の連結部５４（中央部５４ａ，端部５４ｂ，端部５４ｃ）には、ヒンジ部材４３に向かって連結部５４の厚さが薄くなるように傾斜面６０が形成される。第１片４６と第２片４８の連結部５２，５４には、第１フラップ６１と第２フラップ６２が揺動可能に連結される。ヒンジ装置５０が折畳み位置にあるとき、第１フラップ６１と第２フラップ６２は、傾斜面５９，６０に接触するように揺動する。このため、第１フラップ６１、第２フラップ６２及びヒンジ部材４３の間に、表示パネル４４の曲げ部４４ｃを収容するスペースを形成することができる。ヒンジ装置５０が展開位置にあるとき、第１フラップ６１と第２フラップ６２は、傾斜面５９，６０から離れるように揺動する。このため、第１フラップ６１と第２フラップ６２が表示パネル４４の中間部４４ｃ（図１９参照）を支持することができる。
【００７１】
第１フラップ６１は、連結部５２の一対の端部５２ｂ，５２ｃに軸６３を介して揺動可能に連結される。連結部５２の中央部５２ａには、弾性体としての板ばね７２が挿入される溝７１が形成される。板ばね７２は、円弧状に湾曲していて、その中央部７２ａが第１フラップ６１に向かって盛り上がる。板ばね７２は、その両端部７２ｂ，７２ｃが溝７１の底面に支持される。板ばね７２の中央部７２ａには、第１フラップ６１の筒状のカム部６１ａが接触する。板ばね７２のばね力は、カム部６１ａによって第１フラップ６１を傾斜面５９に向かって回転させるトルクに変換される。
【００７２】
第２フラップ６２も、連結部５４の一対の端部５４ｂ，５４ｃに軸６４を介して揺動可能に連結される。連結部５４の中央部５４ａには、中央部５２ａと同様に、板ばね７３が挿入される溝７５が形成される。板ばね７３のばね力は、第２フラップ６２のカム部６２ａによって第２フラップ６２を傾斜面６０に向かって回転させるトルクに変換される。
【００７３】
図１９に示すように、ヒンジ部材４３は、略半円柱状に形成される。ヒンジ部材４３の上面には、仮想軸Ｃの方向に延びるパネル支持部４３ａが形成される。パネル支持部４３ａの幅方向の両側には、パネル支持部４３ａよりも一段低く一対のフラップ支持部４３ｂ，４３ｂが形成される。展開位置において、パネル支持部４３ａが表示パネル４４の中間部４４ｃを支持し、一対のフラップ支持部４３ｂが第１フラップ６１と第２フラップ６２を支持する。
【００７４】
図２０に示すようにヒンジ部材４３は、中央部８１と、中央部８１の仮想軸Ｃ方向の両端に連結される一対の溝形成部８２ａ，８２ｂと、一対の溝形成部８２ａ，８２ｂの仮想軸Ｃ方向の外側に配置される一対の端部８３ａ，８３ｂと、を備える。溝形成部８２ａは、第１片４６の連結部５２のアーム５５ｂと第２片４８の連結部５４のアーム５６ｂとによって挟まれる。溝形成部８２ｂは、第１片４６の連結部５２のアーム５５ｃと第２片４８の連結部５４のアーム５６ｃとによって挟まれる。上記のように、一対の溝形成部８２ａ，８２ｂそれぞれの両端面には、第１円弧状溝６６と第２円弧状溝６８が形成される。第１円弧状溝６６と第２円弧状溝６８の中心角は略１８０°である。一対の端部８３ａ，８３ｂの外側には、一対のサイドガード５８ａ，５８ｂが配置される。
【００７５】
サイドガード５８ａ，５８ｂは、略四角形の板状である。第１片４６とサイドガード５８ａ，５８ｂには、第１リンク９２が連結される。第２片４８とサイドガード５８ａ，５８ｂには、第２リンク９３が連結される。ヒンジ部材４３とサイドガード５８ａ，５８ｂには、中間リンク９４が連結される。サイドガード５８ａとサイドガード５８ｂとは、仮想軸Ｃと直交する中心線に関して左右対称である。以下では、サイドガード５８ａの構成のみを説明する。
【００７６】
図２１（ａ）は図２０のXXI部拡大図を示す。図２０及び図２１（ａ）に示すように、第１リンク９２は、その一端部がサイドガード５８ａに軸８８ａの回りを回転可能に連結される。第１リンク９２は、その他端部が第１片４６に軸４６ａ（図２０には、サイドガード５８ｂ用の軸４６ｂが示されているが、サイドガード５８ａ用の軸４６ａも存在する）の回りを回転可能に連結される。第２リンク９３は、その一端部がサイドガード５８ａに軸８８ｂの回りを回転可能に連結される。第２リンク９３は、その他端部が第２片４８に軸４８ａの回りを回転可能に連結される。第１リンク９２と第２リンク９３のリンク長は同一である。
【００７７】
図２１（ａ）に示すように、サイドガード５８ａとヒンジ部材４３の端部８３ａとには、中間リンク９４が連結される。中間リンク９４は、端部８３ａの凹部９５に収容される。凹部９５には、軸９７が嵌まる長穴９５ａが形成される。中間リンク９４の一端部は、ヒンジ部材４３に軸９７を介して仮想軸Ｃの方向にスライド可能にかつ軸９７の回りを回転可能に連結される。軸９８は、中間リンク９４とサイドガード５８ａの背面の筒部８９（図２０のサイドガード５８ｂ用の筒部８９を参照）に通される。中間リンク９４の他端部は、軸９８を介してサイドガード５８ａに回転可能に連結される。図２２（ｂ）（ｃ）に示すように、中間リンク９４は、ヒンジ部材４３の端部８３ａに対してサイドガード５８ａが仮想軸Ｃと直交する方向に移動するのを許容する。また、中間リンク９４は、サイドガード５８ａと共にヒンジ部材４３が仮想軸Ｃの回りを回転できるようにする。
【００７８】
図２３及び図２４を参照しつつ本実施形態のヒンジ装置５０の動作を説明する。図２３（ａ）は展開位置にあるヒンジ装置５０の平面図を示し、図２３（ｂ）は図２３（ａ）のｂ−ｂ線断面図を示す。図２４（ａ）（ｂ）（ｃ）は、図２３（ｂ）のXXIV部拡大図であり、サイドガード５８ａの作動状況を示す。図２４（ａ）は展開位置、図２４（ｂ）は９０°開き位置、図２４（ｃ）は折畳み位置を示す。
【００７９】
上記のように、第１片４６とサイドガード５８ａとの間には、第１リンク９２が介在する。第２片４８とサイドガード５８ａとの間には、第２リンク９３が介在する。このため、サイドガード５８ａは、第１片４６に対する第２片４８の開き角の半分だけ第１片４６に対して回転する。例えば、第１片４６に対する第２片４８の開き角が０°の状態（図２４（ｃ））から、第１片４６に対する第２片４８の開き角が９０°になる（図２４（ｂ））と、サイドガード５８ａが第１片４６に対して４５°回転する。同様に、第１片４６に対する第２片４８の開き角が１８０°になる（図２４（ａ））と、サイドガード５８ａが第１片４６に対して９０°回転する。ヒンジ部材４３は、中間リンク９４によってサイドガード５８ａと共に回転する。
【００８０】
また、展開位置（図２４（ａ））にあるヒンジ装置５０を折畳み位置（図２４（ｃ））まで閉じる際、サイドガード５８ａがヒンジ部材４３に対して表示パネル４４の中央の曲げ部４４ｃのサイドを覆うように移動する。このため、表示パネル４４の曲げ部４４ｃの背面に生ずる隙間をサイドガード５８ａによって隠すことができる。なお、サイドガード５８ａの移動は、第１片４６と第２片４８の枠部５１ｂ，５３ｂのサイドカバー５１ｂ１，５３ｂ１（図２０参照）とヒンジ部材４３の端部８３ａとの間で案内される。展開位置（図２４（ａ））では、サイドガード５８ａがサイドカバー５１ｂ１，５３ｂ１によって覆われる。
【００８１】
第３の実施形態によれば、第１の実施形態と同様な効果を奏する。また、ヒンジ部材４３とサイドガード５８ａとの間に中間リンク９４を介在させるので、表示パネル４４に向かうサイドガード５８ａの移動のストロークを大きくすることができる。
（第４の実施形態）
【００８２】
図２５（ａ）は、本発明の第４の実施形態のヒンジ装置１００の分解斜視図を示す。図２５（ｂ）（ｃ）はそれぞれ、図２５（ａ）のｂ部拡大図、図２５（ａ）のｃ部拡大図を示す。第３の実施形態のヒンジ装置５０では、リンク方式によってサイドガード５８ａを移動させるのに対し、第４の実施形態のヒンジ装置１００では、カム方式によってサイドガード１０１ａを移動させる。サイドガード１０１ａは、第１片４６と第２片４８にスライド可能に連結される。
【００８３】
上記の点を除いて、第１片４６、第２片４８、第１フラップ６１、第２フラップ６２、ヒンジ部材４３等の構成は、第３の実施形態のヒンジ装置５０と略同一であるので、同一の符号を附してその説明を省略する。また、サイドガード１０１ａとサイドガード１０１ｂとは、仮想軸Ｃと直交する中心線に関して左右対称である。以下では、サイドガード１０１ａの構成のみを説明する。
【００８４】
図２６は、ヒンジ部材４３の分解斜視図を示す。ヒンジ部材４３は、中央部８１と、一対の溝形成部８２ａ，８２ｂと、一対の端部８３ａ，８３ｂと、を備える。端部８３ａは、サイドガード１０１ａに中間リンク９４を介して連結される。サイドガード１０１ａには、第１スライダ１０２と第２スライダ１０３が軸１０４ａ，１０４ｂの回りを回転可能に取り付けられる。第１スライダ１０２と第２スライダ１０３は、第１片４６と第２片４８の枠部５１ｂ，５３ｂの溝１０５（図２５参照）にスライド可能に嵌められる。
【００８５】
図２７（ａ）（ｂ）（ｃ）は、サイドガード１０１ａの作動状況を示す。図２７（ａ）は展開位置を示し、図２７（ｂ）は９０°開き位置を示し、図２７（ｃ）は折畳み位置を示す。上記のように、サイドガード１０１ａは、第１片４６と第２片４８に第１スライダ１０２と第２スライダ１０３を介してスライド可能に連結される。このため、サイドガード１０１ａは、第１片４６に対する第２片４８の開き角の半分だけ第１片４６に対して回転する。
【００８６】
また、展開位置（図２７（ａ））にあるヒンジ装置１００を折畳み位置（図２７（ｃ））まで閉じる際、サイドガード１０１ａがヒンジ部材４３に対して表示パネル４４の中央の曲げ部４４ｃのサイドを覆うように移動する。このため、サイドガード１０１ａによって、表示パネル４４の曲げ部４４ｃの背面の隙間を隠すことができる。
【００８７】
第４の実施形態によれば、第１の実施形態と同様な効果を奏する。また、サイドガード１０１ａが第１片４６と第２片４８に第１スライダ１０２と第２スライダ１０３を介してスライド可能に連結されるので、表示パネル４４に向かうサイドガード１０１ａのストロークを大きくすることができる。
【００８８】
なお、本発明は上記実施形態に具現化されるのに限られることはなく、本発明の要旨を変更しない範囲で他の実施形態に変更可能である。
【００８９】
上記実施形態では、第１本体と第２本体がヒンジ部材に対して実際の軸がない仮想軸を中心に回転可能であるが、実際の軸上の仮想軸を中心に回転可能にすることもできる。
【００９０】
上記実施形態では、第１本体に対するヒンジ部材の仮想軸と第２本体に対するヒンジ部材の仮想軸とが同一であるが、これらの仮想軸をずらすことも可能である。
【符号の説明】
【００９１】
１，４１…第１本体
２，４２…第２本体
３，４４…表示パネル
３ａ，４４ａ…表示パネルの第１部
３ｂ，４４ｂ…表示パネルの第２部
３ｃ，４４ｃ…表示パネルの中間部（曲げ部）
３ｃ１…表示パネルの曲げ部のサイド
４，５０，１００…ヒンジ装置
５，４３…ヒンジ部材
６ａ，６ｂ，３２ａ，３２ｂ，５８ａ，５８ｂ，１０１ａ，１０１ｂ…サイドガード
７，３１，４０…表示装置
１７，９２…第１リンク
１８，９３…第２リンク
２３ａ，２３ｂ，２４ａ，２４ｂ，５１ｂ１，５３ｂ１…サイドカバー
４６…第１片
４８…第２片
１０２…第１スライダ
１０３…第２スライダ
【図１】
2020053001.tif 000003
【図２】
2020053001.tif 000004
【図３】
2020053001.tif 000005
【図４】
2020053001.tif 000006
【図５】
2020053001.tif 000007
【図６】
2020053001.tif 000008
【図７】
2020053001.tif 000009
【図８】
2020053001.tif 000010
【図９】
2020053001.tif 000011
【図１０】
2020053001.tif 000012
【図１１】
2020053001.tif 000013
【図１２】
2020053001.tif 000014
【図１３】
2020053001.tif 000015
【図１４】
2020053001.tif 000016
【図１５】
2020053001.tif 000017
【図１６】
2020053001.tif 000018
【図１７】
2020053001.tif 000019
【図１８】
2020053001.tif 000020
【図１９】
2020053001.tif 000021
【図２０】
2020053001.tif 000022
【図２１】
2020053001.tif 000023
【図２２】
2020053001.tif 000024
【図２３】
2020053001.tif 000025
【図２４】
2020053001.tif 000026
【図２５】
2020053001.tif 000027
【図２６】
2020053001.tif 000028
【図２７】
2020053001.tif 000029